(57)【要約】【課題】美容効果の高いまつ毛エクステンションの施術方法を提供すること。【解決手段】上側のまつ毛１を上側のまぶた２に上向きに固定することと、固定された状態においてまつ毛１を加熱して軟化させ、冷却して固定された状態の形状とすることと、まつ毛１に人工毛１ａを装着することとを含む、まつ毛エクステンションの施術方法を提供する。固定には、粘着テープを用いることができる。加熱して冷却することで、まつ毛が上向きに硬化し、美容効果の高いまつ毛エクステンションの施術方法となる。【選択図】図１
2018031100.tif 000002
【特許請求の範囲】
【請求項１】
上側のまつ毛を上側のまぶたに上向きに固定することと、
前記固定された状態において前記まつ毛を加熱することと、
前記固定された状態において前記まつ毛を冷却することと、
前記固定を解除して前記まつ毛に人工毛を装着することと、
を含み、
前記押着することでは、粘着テープを用いて、前記まつ毛を前記まぶたに押着し、
前記加熱することでは、前記まつ毛を２０度以上の温度で１分以上加熱し、
前記冷却することでは、前記まつ毛を前記加熱における温度よりも低い温度で冷却することを特徴とする、まつ毛エクステンションの施術方法。
【請求項２】
前記装着することでは、接着剤を用いて、前記まつ毛に前記人工毛を装着することを特徴とする、請求項１に記載のまつ毛エクステンションの施術方法。
【請求項３】
前記加熱することでは、アイマスク型の保温具を用いて加熱することを特徴とする、請求項１又は２に記載のまつ毛エクステンションの施術方法。
【発明の詳細な説明】
【技術分野】
【０００１】
本発明は、まつ毛エクステンションの施術方法に関する。
【背景技術】
【０００２】
従来、まつ毛を長く見せるとともにボリュームを増やすことで、目元を美しくみせる「まつ毛エクステンション」と呼ばれる美容法が知られている。被施術者のまつ毛のそれぞれに対して、根元から適宜離間した位置に人工毛を装着するものである（例えば、特許文献１参照）。
【０００３】
まつ毛エクステンションでは、まつ毛が下方を向いていると、装着された人工毛が瞳に被ってしまい、美容効果が小さいものとなってしまう。
【先行技術文献】
【特許文献】
【０００４】
【特許文献１】特開２０１６−３３２７０号公報
【非特許文献】
【０００５】
【非特許文献１】「蒸気でホットアイマスク」 http://www.kao.co.jp/megrhythm/eye/
【発明の概要】
【発明が解決しようとする課題】
【０００６】
本発明は、美容効果の高いまつ毛エクステンションの施術方法を提供することを課題とする。
【課題を解決するための手段】
【０００７】
本発明のまつ毛エクステンションの施術方法は、
上側のまつ毛を上側のまぶたに上向きに固定することと、
前記固定された状態において前記まつ毛を加熱することと、
前記固定された状態において前記まつ毛を冷却することと、
前記固定を解除して前記まつ毛に人工毛を装着することと、
を含み、
前記押着することでは、粘着テープを用いて、前記まつ毛を前記まぶたに押着し、
前記加熱することでは、前記まつ毛を２０度以上の温度で１分以上加熱し、
前記冷却することでは、前記まつ毛を前記加熱における温度よりも低い温度で冷却することを特徴とする。
【０００８】
この特徴によれば、上側のまつ毛を上側のまぶたに上向きに延ばして押着し、押着した状態でまつ毛を加熱し、その後冷却することでまつ毛が上向きに自立してカールされたような状態となる。その状態でまつ毛に人工毛を装着することで美容効果を得ることができる。例えば、被施術者が目を閉じている状態で、粘着テープによってまつ毛を上向きに押着して仮止めし、十分に加熱してまつ毛を軟化させて上向きにし、冷却して上向きの状態を維持する強度を持たせるものである。
なお、「２０度」は「摂氏２０度」である。以下、温度を表す数字の前に「摂氏」をつけないが、全て「摂氏」の温度である。
【０００９】
本発明のまつ毛エクステンションの施術方法は、
前記装着することでは、接着剤を用いて、前記まつ毛に前記人工毛を装着することを特徴とすることができる。
【００１０】
この特徴によれば、広く用いられている接着剤を用いる方法によるまつ毛エクステンションを活用することができる。
【００１１】
本発明のまつ毛エクステンションの施術方法は、
前記加熱することでは、アイマスク型の保温具を用いて加熱することを特徴とすることができる。
【００１２】
この特徴によれば、被施術者が目を閉じている状態で、例えば非特許文献１に開示されたアイマスク型の保温具によって、安全に加熱することができる。
【発明の効果】
【００１３】
本発明のまつ毛エクステンションの施術方法によれば、まつ毛がより上向きに自立して、美容効果を上げることが可能となる。
【図面の簡単な説明】
【００１４】
【図１】図１は、まつ毛エクステンションの施術方法の各手順を施術した際のまつ毛の状態を示す図である。
【図２】図２は、まつ毛エクステンションの施術方法を実施した場合（上）及び実施しなかった場合（下）のそれぞれにおいて人工毛を装着した状態を示す写真である。
【発明を実施するための形態】
【００１５】
以下、本発明の一実施例について説明する。
【００１６】
図１（Ａ）〜（Ｇ）に、まつ毛エクステンションの施術方法の各手順を施術した際のまつ毛の状態を示す。これらの図ではまつ毛エクステンションの施術を受ける被施術者の左目のみを示すが、右目に対しても同様に施術が施される。
【００１７】
まず、図１（Ａ）に示すように、被施術者に目を閉じさせる。このとき、上側のまつ毛（単にまつ毛と呼ぶ）１は上まぶた２から下向きに垂れ下がる。
【００１８】
次に、図１（Ｂ）に示すように、施術者の手指で、あるいは器具を用いて、まつ毛１を上向きに延ばす。
【００１９】
その状態で、図１（Ｃ）に示すように、まつ毛１を上まぶた２上に押着する。粘着テープ３を用いることができる。粘着テープ３の粘着面にまつ毛１の下側を付着させ、上まぶた２の表面に接着する。粘着テープ３を用いることでまつ毛１を上まぶた２に簡便に押着することができる。これにより、まつ毛１が上向きに延びた状態で上まぶた２の表面に押着される。
【００２０】
粘着テープ３は、まつ毛エクステンションに広く用いられるテープを用いることができる。まつ毛１を上まぶた２の表面に安定して押着できるものであれば、任意のものを用いてよい。
【００２１】
次に、図１（Ｄ）に示すように、保温具４を用いて、まつ毛１を加熱する。保温具４は、例えば図中網掛けで示した箇所に加熱するものである。ここで、まつ毛１を加熱することによって、まつ毛１を軟化させて押着された状態に変形させることができる。
【００２２】
まつ毛１を軟化させることは、２０度以上に加熱することにより可能である。本実施例においては、十分に軟化させるため、保温具４による加熱は、３５度以上とし、５分以上継続する。これにより、まつ毛１が十分に軟化する。好ましくは、４０度前後で、１０分前後の加熱を行う。加熱終了後、上まぶた２から保温具４を取り外す。まつ毛１が十分に軟化し、被施術者の負担が小さいものである。
【００２３】
なお、保温具４として、非特許文献１に示すアイマスク型の保温具を用いることや、温水を含有させたいわゆる蒸しタオルを目の上から当てることができる。被施術者は目を閉じているので、被施術者の負担が小さく、安全に加熱することができる。
【００２４】
次に、まつ毛１を冷却する。冷却は、軟化して変形したまつ毛１を、変形を保ったままで軟化を元に戻し、変形された状態で安定させるためのものであり、各種の方法（保冷具を用いない自然冷却を含む）によることができる。本実施例においては、図１（Ｅ）に示すように、保冷具５を用いて、まつ毛１を冷却する。保冷具５を用いることで、まつ毛１を、変形された状態で短時間に安定させることができる。
【００２５】
保冷具５による冷却は、１分程度継続することが好ましい。これにより、まつ毛１が十分に安定する。冷却終了後、上まぶた２から保冷具５を取り外す。まつ毛１が十分に変形し、被施術者の負担が小さいものである。
【００２６】
なお、保冷具５として、保温具４と同様に各種のものを用いることができる。被施術者は目を閉じているので、被施術者の負担が小さく、安全に冷却することができる。
【００２７】
次に、粘着テープ３を上まぶた２から剥がす。被施術者は、閉じていた目を開けることができる。目を開けた状態を、図１（Ｆ）に示す。
【００２８】
最後に、図１（Ｇ）に示すように、まつ毛１に人工毛１ａを装着する。まつ毛１のそれぞれに対して、例えば根元から１ｍｍ程度の位置に接着剤を付着し、その接着剤に人工毛の基端を付着することで、まつ毛１に人工毛が装着される。以上で、施術が終了する。
【００２９】
図２に、まつ毛エクステンションの施術方法を実施した場合（上）及び実施しなかった場合（下）のそれぞれにおいて人工毛１ａを装着したまつ毛１の状態を示す。本施術方法を実施した場合、実施しなかった場合と比較して、まつ毛１が上向きに自立し、美容効果が向上していることがわかる。
【００３０】
以上詳細に説明したように、本実施例に係るまつ毛エクステンションの施術方法は、上側のまつ毛１を上側のまぶた２に上向きに固定することと、固定された状態においてまつ毛１を加熱し冷却して変形させることと、まつ毛１に人工毛１ａを装着することを含む。固定には、粘着テープを用いることができる。２０度以上の温度で１分以上加熱し、その後に冷却することで、まつ毛が上向きに変形し、美容効果の高いまつ毛エクステンションの施術方法となる。
【産業上の利用可能性】
【００３１】
美容効果の高いまつ毛エクステンションの施術方法である。多くの施術者による利用が期待される。
【符号の説明】
【００３２】
１    まつ毛
１ａ  人工毛
２    上まぶた
３    粘着テープ
４    保温具
５    保冷具
【図１】
2018031100.tif 000003
【図２】
2018031100.tif 000004
【手続補正書】
【提出日】平成28年12月11日(2016.12.11)
【手続補正１】
【補正対象書類名】特許請求の範囲
【補正対象項目名】請求項１
【補正方法】変更
【補正の内容】
【請求項１】
上側のまつ毛を上側のまぶたに上向きに固定することと、
前記固定された状態において前記まつ毛を加熱することと、
前記固定された状態において前記まつ毛を冷却することと、
前記固定を解除して前記まつ毛に人工毛を装着することと、
を含み、
前記固定することでは、粘着テープを用いて、前記まつ毛を前記まぶたに押着し、
前記加熱することでは、前記まつ毛を２０度以上の温度で１分以上加熱し、
前記冷却することでは、前記まつ毛を前記加熱における温度よりも低い温度で冷却することを特徴とする、まつ毛エクステンションの施術方法。
【手続補正２】
【補正対象書類名】明細書
【補正対象項目名】０００７
【補正方法】変更
【補正の内容】
【０００７】
本発明のまつ毛エクステンションの施術方法は、
上側のまつ毛を上側のまぶたに上向きに固定することと、
前記固定された状態において前記まつ毛を加熱することと、
前記固定された状態において前記まつ毛を冷却することと、
前記固定を解除して前記まつ毛に人工毛を装着することと、
を含み、
前記固定することでは、粘着テープを用いて、前記まつ毛を前記まぶたに押着し、
前記加熱することでは、前記まつ毛を２０度以上の温度で１分以上加熱し、
前記冷却することでは、前記まつ毛を前記加熱における温度よりも低い温度で冷却することを特徴とする。